(57)【要約】      （修正有）【課題】スキャナ台のような周辺機器支持台において発生した電磁波ノイズを確実に抑制することができる電子機器装置を提供する。【解決手段】印刷装置本体１０と、印刷装置本体１０の周辺に設置されるスキャナと、スキャナを印刷装置本体１０の周辺において支持する導電性部材からなるスキャナ台３０と、スキャナ台３０と印刷装置本体１０とを電気的に接続するアース接続部５１と、アース接続部５１における電気的な接続の有無を検出するアース検出回路とを備える。【選択図】図５
2020026956.tif 000002
【特許請求の範囲】
【請求項１】
電子機器本体と、
前記電子機器本体の周辺に設置される周辺機器と、
前記周辺機器を前記電子機器本体の周辺において支持する導電性部材からなる周辺機器支持台と、
前記周辺機器支持台と前記電子機器本体とを電気的に接続するアース接続部と、
前記アース接続部における電気的な接続の有無を検出するアース検出部とを備えた電子機器装置。
【請求項２】
前記アース検出部が、前記電子機器本体内に設けられたアース検出回路を有し、
前記周辺機器支持台と前記電子機器本体の筐体との接続部分に、弾性を有し、かつ前記周辺機器支持台と前記電子機器本体の筐体とを電気的に非導通とするとともに、前記周辺機器支持台と前記アース検出回路とを電気的に接続する弾性接続部が設けられている請求項１または２記載の電子機器装置。
【請求項３】
前記アース接続部における電気的な接続が前記アース検出部によって検出されていない場合、前記電子機器本体の全部または一部の動作を停止させる制御部を備えた請求項１または２記載の電子機器装置。
【発明の詳細な説明】
【技術分野】
【０００１】
本発明は、印刷装置本体などの電子機器本体の周辺に、スキャナなどの周辺機器が設置される電子機器装置に関するものであり、特に、その周辺機器を支持する周辺機器支持台を備えた電子機器装置に関する。
【背景技術】
【０００２】
従来、紙などの印刷媒体に印刷処理を施す印刷装置本体上に、原稿を光電的に読み取って印刷処理のための画像データを出力するスキャナを積載した印刷システムが提案されている。
【０００３】
このような印刷システムにおいては、たとえば印刷装置本体に対して、金属製のフレームからなるスキャナ台が設置され、そのスキャナ台上にスキャナが設置される。
【先行技術文献】
【特許文献】
【０００４】
【特許文献１】特開平８−２４１０２４号公報
【特許文献２】特開２００２−２４０９７３号公報
【発明の概要】
【発明が解決しようとする課題】
【０００５】
ここで、上述した印刷システムにおいては、制御基板などの電子部品が印刷装置本体内に内蔵されているため、この電子部品が電磁波ノイズの発生源となる。このような電磁波ノイズの許容量は、ＥＭＣ（Electromagnetic Compatibility）規格として定められており、一定量以下に抑制する必要がある。また、電磁波ノイズは、印刷システム周辺にあるその他の電子機器装置の誤動作を招くおそれもある。
【０００６】
特に、上述した印刷システムのように、スキャナ台上にスキャナを設置して、印刷装置本体の上にスキャナが覆いかぶさるように配置される場合、印刷装置本体で発生した電磁波ノイズがスキャナ台で反射されて、特定の方向に収束されて強い電磁波ノイズとして放射される環境が生じる。このような環境において、スキャナ台と印刷装置本体とのアース接続が十分であれば電磁波ノイズの放射を抑制することができるが、スキャナ台と印刷装置本体とのアース接続が十分でない場合、印刷システム周辺の電子機器装置に対して悪影響を及ぼすおそれがある。
【０００７】
また、上述した電磁波ノイズを抑制するため、スキャナ台と印刷装置本体との間においてアース接続を行うことが考えられる。
【０００８】
しかしながら、アース接続を行った場合でも、そのアース接続が不安定であったり、印刷装置本体に対して設置されたスキャナ台が、設置後によじれなどしてアース接続が不十分になったりするおそれがある。
【０００９】
なお、特許文献１においては、画像形成装置本体に給紙ユニットを着脱可能な画像形成装置において、給紙ユニット内で発生した静電気を、接地されている装置本体に導通させるために、装置本体と給紙ユニットとの間に電気的接点を設けることが提案されている。
【００１０】
しかしながら、特許文献１においては、上述したようなスキャナ台で発生した電磁波ノイズの対策については何も提案されていない。
【００１１】
また、特許文献２においても、給紙ユニットと装置本体との間のアース接続に関する構成が提案されているが、特許文献１と同様に、スキャナ台で発生した電磁波ノイズの対策については何も提案されていない。
【００１２】
本発明は、上記事情に鑑み、スキャナ台のような周辺機器支持台において発生した電磁波ノイズを確実に抑制することができる電子機器装置を提供することを目的とするものである。
【課題を解決するための手段】
【００１３】
本発明の電子機器装置は、電子機器本体と、電子機器本体の周辺に設置される周辺機器と、周辺機器を電子機器本体の周辺において支持する導電性部材からなる周辺機器支持台と、周辺機器支持台と電子機器本体とを電気的に接続するアース接続部と、アース接続部における電気的な接続の有無を検出するアース検出部とを備える。
【発明の効果】
【００１４】
本発明の電子機器装置によれば、導電性部材からなる周辺機器支持台と電子機器本体とを電気的に接続するアース接続部と、アース接続部における電気的な接続の有無を検出するアース検出部とを備える。これにより、たとえば周辺機器支持台がよじれなどして、周辺機器支持台と電子機器本体との配置関係がずれて、アース接続部おいて周辺機器支持台と電子機器本体とが電気的に非接続な状態になったとしても、その状態をアース検出部によって検出することができるので、周辺機器支持台において発生した電磁波ノイズを確実に抑制することができる。
【図面の簡単な説明】
【００１５】
【図１】本発明の電子機器装置の一実施形態を用いた印刷システムの外観斜視図
【図２】印刷装置本体の印刷処理部内部の概略構成を示すブロック図
【図３】図１に示す印刷システムにおけるスキャナ台の外観斜視図
【図４】図１に示す印刷システムにおける印刷装置本体とスキャナを点線で示す図
【図５】スキャナ台のアース接続部が印刷装置本体の筐体に当接する位置までスキャナ台が押し進められた際の上面図
【図６】スキャナ台のアース接続部が印刷装置本体の筐体に当接する位置までスキャナ台が押し進められた際の側面図
【図７】印刷装置本体とスキャナ台の凸部との接続部分に圧着端子および弾性板部材を用いた例を示す拡大上面図
【図８】アース検出回路の一例を示す図
【図９】印刷装置本体とスキャナ台の凸部との接続部分に板バネを用いた例を示す拡大上面図
【図１０】印刷装置本体とスキャナ台の凸部との接続部分にフィクスチャを用いた例を示す拡大上面図
【図１１】図１０に示すフィクスチャの内部の概略構成を示す図
【発明を実施するための形態】
【００１６】
以下、図面を参照して本発明の電子機器装置の一実施形態を用いた印刷システムについて詳細に説明する。本実施形態の印刷システムは、スキャナ台の接地に特徴を有するものであるが、まずは、印刷システムの全体構成について説明する。図１は、本実施形態の印刷システム１の概略構成を示す斜視図である。なお、図１に矢印で示す上下左右前後が、本実施形態の印刷システム１における上下左右前後方向とする。
【００１７】
本実施形態の印刷システム１は、図１に示すように、印刷装置本体１０と、スキャナ２０と、スキャナ台３０とを備えている。本実施形態においては、印刷装置本体１０が、本発明の電子機器本体に相当し、スキャナ２０が、本発明の周辺機器に相当し、スキャナ台３０が、周辺機器支持台に相当する。
【００１８】
印刷装置本体１０は、紙またはフィルムなどの印刷媒体に印刷処理を施すものであり、本実施形態の印刷装置本体１０は、搬送された印刷媒体に対してインクジェットヘッドからインクを吐出して印刷処理を施すインクジェット印刷装置である。印刷装置本体１０は、図１に示すように、給紙部１１と、印刷処理部１２と、排紙部１３と、表示部１４とを備えている。
【００１９】
給紙部１１は、複数の給紙トレイ１１ａ〜１１ｃを備えており、各給紙トレイ１１ａ〜１１ｃに印刷媒体が載置され、給紙部１１内の所定の搬送機構（図示省略）によって、各給紙トレイ１１ａ〜１１ｃから印刷処理部１２に印刷媒体が供給される。
【００２０】
印刷処理部１２は、給紙部１１から給紙された印刷媒体に対して印刷処理を施すものである。図２は、印刷処理部１２内部の概略構成を示すブロック図である。印刷処理部１２は、図２に示すように、ヘッドユニット４０と、ヘッドユニット４０に対向して設けられた環状の搬送ベルトおよび搬送ローラなどを有する搬送機構４１とを備えており、給紙部１１から供給された印刷媒体は、搬送機構４１まで搬送される。そして、印刷媒体が搬送機構４１によって搬送されながら、ヘッドユニット４０から印刷媒体に対してインクが吐出され、これにより印刷媒体に対して印刷処理が施される。
【００２１】
ヘッドユニット４０は、４つのラインヘッドを備えている。４つのラインヘッドは、それぞれ異なる色（例えばブラック、シアン、マゼンタおよびイエロー）のインクを吐出するものである。各ラインヘッドは、印刷媒体の搬送方向に直交する方向にそれぞれ延設され、印刷媒体の搬送方向について所定の間隔を空けて配列されている。
【００２２】
ヘッドユニット４０によって印刷処理が施された印刷媒体は、搬送機構４１によって排紙部１３まで搬送される。
【００２３】
また、印刷処理部１２は、制御部５０を備えている。制御部５０は、印刷システム１全体を制御するものであり、ＣＰＵ（Central Processing Unit）、半導体メモリおよびハードディスクなどが設けられた制御基板を備えている。制御部５０は、半導体メモリまたはハードディスクなどの記憶媒体に予め記憶されたプログラムを実行し、かつ電気回路を動作させることによって、印刷システム１の各部の動作を制御するものである。
【００２４】
制御部５０は、具体的には、搬送機構制御部５０ａと画像処理部５０ｂとを備えている。搬送機構制御部５０ａは、搬送機構４１を駆動制御する。また、画像処理部５０ｂは、スキャナ２０から出力された画像データまたは印刷装置本体１０に対してネットワークなどを介して接続されたコンピュータなどから出力された画像データの入力を受け付け、その入力された画像データに対して所定の処理を施して、ヘッドユニット４０を制御するためのドロップデータを生成する。ヘッドユニット４０の各ラインヘッドは、画像処理部５０ｂで生成されたドロップデータに基づいて制御されてインクを吐出する。
【００２５】
また、本実施形態の制御部５０は、スキャナ台３０と印刷装置本体１０とを電気的に接続するアース接続部５１における電気的な接続の有無を検出するアース検出回路５２を備えている。なお、アース接続部５１およびアース検出回路５２については、後で詳述する。
【００２６】
また、印刷装置本体１０は、上述したヘッドユニット４０、搬送機構４１および制御部５０が内蔵された筐体１０ａを備えている。筐体１０ａは、金属などの導電性部材から形成されたものであり、制御部５０の制御基板の接地部が接続される。具体的には、本実施形態においては、制御基板の取り付け穴に接地パターンが形成されており、その取り付け穴に嵌合されたネジを介して制御基板が筐体１０ａに取り付けられている。また、筐体１０ａの下面の４隅にはキャスタ１０ｂ（図４参照）が設けられており、この４つのキャスタ１０ｂによって筐体１０ａが支持されている。そして、印刷装置本体１０は、４つのキャスタ１０ｂによって任意の方向に移動可能に構成されている。また、印刷装置本体１０を４つのキャスタ１０ｂにより支持することによって、筐体１０ａの下面と印刷装置本体１０が設置される設置面（たとえば床面など）との間には、隙間ｄ（図４参照）が形成されている。この隙間ｄは、後述するスキャナ台３０の脚部材３３ａが挿入可能な高さで形成されている。
【００２７】
排紙部１３は、印刷処理部１２において印刷処理の施された印刷媒体が排紙されるものであり、図１に示すように、印刷装置本体１０の筐体１０ａの側面に設けられた排紙トレイ１３ａおよびサイドフェンス１３ｂなどを備えている。
【００２８】
表示部１４は、図１に示すように、印刷装置本体１０の筐体１０ａの上面前側に設けられる。表示部１４は、たとえば液晶パネルを有するタッチパネルから構成され、種々の情報を表示するとともに、種々の設定入力を受け付ける。特に、本実施形態の表示部１４は、アース検出回路５２の検出結果に応じて、ユーザに警告メッセージを表示する。
【００２９】
次に、スキャナ２０について説明する。スキャナ２０は、図１に示すように、オートフィーダ原稿台２０ａを有し、オートフィーダ原稿台２０ａ上に載置された原稿を光電的に読み取り、原稿の画像データを生成する。原稿の画像データは、印刷装置本体１０の制御部５０に入力され、制御部５０は、入力された画像データに基づいてヘッドユニット４０を制御して印刷処理を施す。
【００３０】
そして、本実施形態の印刷システム１では、上述した印刷装置本体１０とスキャナ２０とは別体で構成されている。スキャナ２０は、スキャナ台３０上に設置され、印刷装置本体１０の上方で支持される。図３は、スキャナ台３０の外観斜視図である。また、図４は、印刷システム１における印刷装置本体１０およびスキャナ２０を点線で示し、スキャナ台３０を実線で示した図である。
【００３１】
図３に示すように、スキャナ台３０は、金属などの導電性部材から形成された板部材および枠体から構成される。具体的には、スキャナ台３０は、図３に示すように、スキャナ２０が設置される設置面３０ａを有する設置台３１と、設置台３１が接続され、印刷装置本体１０の背面（後面）に沿って立設される背面フレーム３２と、背面フレーム３２の下部に接続されたキャスタフレーム３３と、キャスタフレーム３３の下面に設けられた４つのキャスタ３４とを備えている。
【００３２】
設置台３１は、板部材から構成され、背面フレーム３２は、矩形の枠体から構成される。設置台３１は、設置面３０ａが水平面となるように、鉛直方向に立設された背面フレーム３２の上側に接続されている。
【００３３】
そして、背面フレーム３２における鉛直方向に延びる２本の柱部材のそれぞれの下部側面に、キャスタフレーム３３が接続されている。キャスタフレーム３３は、背面フレーム３２から前方に延設された２本の脚部材３３ａから構成されている。そして、２本の脚部材３３ａは平行して配置され、それぞれの脚部材３３ａの下面に所定の間隔を空けて２つのキャスタ３４が設けられている。この４つのキャスタ３４によって、スキャナ台３０が、任意の方向に移動可能なように構成されている。
【００３４】
また、２本の脚部材３３ａのうち、印刷装置本体１０の筐体１０ａの下の隙間ｄに挿入される側の脚部材３３ａの先端には、上述したアース接続部５１が設けられている。本実施形態のアース接続部５１は、導電性のガスケットから構成されるものであり、具体的には、ガスケットスポンジを導電性の布で包むことによって形成される。導電性のガスケットからなるアース接続部５１は、脚部材３３ａの前端面に対して両面テープによって固定されている。
【００３５】
そして、スキャナ台３０が印刷装置本体１０に対して設置される際、印刷装置本体１０と印刷装置本体１０の設置面（たとえば床など）との間の隙間ｄに、アース接続部５１が設けられた脚部材３３ａが挿入される。スキャナ台３０は、その背面フレーム３２が印刷装置本体１０の背面板部材１０ｃ（図５および図６参照）に近づくように押し進められ、アース接続部５１が、印刷装置本体１０の筐体１０ａの前面板部材１０ｆの裏側に当接する位置まで押し進められる。図５は、アース接続部５１が筐体１０ａの前面板部材１０ｆの裏側に当接する位置までスキャナ台３０が押し進められた際の上面図である。なお、図５においては、スキャナ３０の設置台３１は図示省略している。
【００３６】
また、図６は、アース接続部５１が筐体１０ａの前面板部材１０ｆに当接する位置までスキャナ台３０が押し進められた際の側面図である。図６に示すように、印刷装置本体１０の筐体１０ａの前面板部材１０ｆは、筐体１０ａの底面よりも下側に延設されており、その底面よりも下側の延設部分に対してアース接続部５１が接触するように構成されている。なお、図４および図５は、印刷装置本体１０の筐体１０ａとスキャナ台３０との位置関係を示す模式図であり、詳細な構成は図示省略している。
【００３７】
このように導電性を有するアース接続部５１が、印刷装置本体１０の筐体１０ａの前面板部材１０ｆに当接することによって、スキャナ台３０と印刷装置本体１０の筐体１０ａとが電気的に接続される。すなわち、スキャナ台３０は、アース接続部５１を介して筐体１０ａに電気的に接続されることによって接地される。この接地により、印刷装置本体１０の制御部５０において発生した電磁波ノイズが、スキャナ台３０によって増幅または拡散されるのを防止することができる。
【００３８】
そして、上述したようにアース接続部５１が筐体１０ａに当接する位置までスキャナ台３０を押し進めて設置した後、たとえば印刷装置本体１０の筐体１０ａの側面に対して、その側面に隣接する脚部材３３ａ（図５に示す右側の脚部材３３ａ）がネジ部材（図示省略）などによって固定される。
【００３９】
ただし、このように印刷装置本体１０の筐体１０ａに対してスキャナ台３０の脚部材３３ａをネジ部材によって固定したとしても、スキャナ台３０の位置は完全に固定されておらず、たとえば周辺の振動もしくはネジ部材の緩みなどによって、スキャナ台３０が後方に多少移動したり、水平面内において回転（よじれ）したりする場合がある。
【００４０】
これに対し、本実施形態においては、アース接続部５１としてガスケットを用いるようにしたので、上述したスキャナ台３０の移動や回転を吸収することができ、アース接続部５１と印刷装置本体１０との電気的な接続を維持することができる。
【００４１】
しかしながら、スキャナ台３０の移動や回転が大きい場合には、アース接続部５１の弾性だけでは吸収しきれず、アース接続部５１と印刷装置本体１０とが離れてしまい、電気的に非接続になってしまう場合がある。
【００４２】
そこで、本実施形態においては、アース接続部５１における電気的な接続の有無を検出し、その検出結果に応じて表示部１４に警告メッセージなどを表示させ、ユーザに対して報知する。なお、本実施形態においては、表示部１４が、本発明の報知部に相当する。以下、アース接続部５１における電気的な接続の有無を検出するための構成について説明する。
【００４３】
まず、背面フレーム３２の下部には、図３〜図６に示すように、本実施形態のアース検出部の一部を構成する凸部３２ａが形成されている。本実施形態では、凸部３２ａは、背面フレーム３２と一体的に構成されているが、これに限らず、背面フレーム３２に対して別の部材を設けることによって凸部３２ａを形成するようにしてもよい。
【００４４】
また、図３〜図６では図示省略しているが、印刷装置本体１０の背面板部材１０ｃの一部の面であって、凸部３２ａに対向する面には、すなわち印刷装置本体１０とスキャナ台３０との接続部分には、非導電性の弾性板部材３５が設けられている。図７は、印刷装置本体１０の背面板部材１０ｃとスキャナ台３０の凸部３２ａとの接続部分を示す拡大上面図である。図７に示すように、印刷装置本体１０の背面板部材１０ｃの一部の面であって、凸部３２ａに対向する面には、凹部１０ｄが形成されている。凹部１０ｄは、その凹部１０ｄ内に凸部３２ａの一部が挿入可能な深さで形成され、凹部１０ｄの開口周辺部分に弾性板部材３５の一端が接続されている。そして、弾性板部材３５の他端には、ネジ部材３７を介して圧着端子３６が接続されている。弾性板部材３５は、弾性を有し、かつ非導電性の樹脂などの材料を板状に形成した部材である。なお、本実施形態においては、弾性板部材３５および圧着端子３６が、本発明の弾性接続部に相当する。
【００４５】
印刷装置本体１０に対してスキャナ台３０を設置した際には、図７に示すように、スキャナ台３０の凸部３２ａと上述した圧着端子３６とが接するように構成されている。本実施形態では、上述したように圧着端子３６に対して非導電性の弾性板部材３５が接続されているので、スキャナ台３０の凸部３２ａと印刷装置本体１０とが電気的に接触しないよう（非導通）にすることができる。すなわち、スキャナ台３０と印刷装置本体１０とが、アース接続部５１のみで電気的に接続され、その他の部分において電気的に非導通な状態とすることができる。また、印刷装置本体１０に対してスキャナ台３０が多少回転（よじれ）などしても、その動きを弾性板部材３５で吸収することができ、スキャナ台３０の凸部３２ａと圧着端子３６との接触状態を維持することができる。これにより、アース接続部５１における電気的な接続の有無を、後述するアース検出回路５２によって検出することができる。
【００４６】
そして、圧着端子３６には、配線３８の一端が接続されており、配線３８のもう一方の他端は、印刷装置本体１０内の制御部５０におけるアース検出回路５２に接続されている。なお、本実施形態においては、スキャナ台３０に設けられた凸部３２ａ、並びに印刷装置本体１０に設けられた圧着端子３６、ネジ部材３７、弾性板部材３５、配線３８およびアース検出回路５２が、本発明のアース検出部に相当する。
【００４７】
図８は、アース検出回路５２の一例を示す図である。アース検出回路５２は、印刷装置本体１０とスキャナ台３０とが、アース接続部５１において電気的に接続されているか否かを検出する回路である。具体的には、アース検出回路５２は、図８に示すように、マイコン５２ａと、プルアップ抵抗素子５２ｂとを備えている。上述した圧着端子３６に接続された配線３８の他端はマイコン５２ａに接続され、また、マイコン５２ａと圧着端子３６との間の配線３８に、プルアップ抵抗素子５２ｂの一端が接続されている。そして、プルアップ抵抗素子５２ｂの他端は３．３Ｖの電圧源に接続されている。また、マイコン５２ａにも３．３Ｖの電圧が供給されており、マイコン５２ａは、配線３８が接続された検出ポートから入力された電圧が、３．３Ｖ付近の電圧であるか否かを検出可能に構成されている。
【００４８】
また、図８に示すようにアース検出回路５２から引き出された配線３８は、圧着端子３６を介してスキャナ台３０に接続されており、スキャナ台３０はアース接続部５１を介して印刷装置本体１０の筐体１０ａに電気的に接続されている。また、上述したようにアース検出回路５２（制御部５０）の接地線は、筐体１０ａに電気的に接続されている。
【００４９】
このような構成において、アース接続部５１においてスキャナ台３０と印刷装置本体１０とが電気的に接続されている場合には、マイコン５２ａの検出ポートの電圧値は接地電位となり、すなわちマイコン５２ａによって０Ｖ付近の電圧値が検出される。
【００５０】
一方、アース接続部５１においてスキャナ台３０と印刷装置本体１０とが電気的に接続されていない状態（非接続）となった場合には、マイコン５２ａの検出ポートには、プルアップ抵抗素子５２ｂにより３．３Ｖ付近の電圧が入力される。マイコン５２ａは、検出ポートへの入力電圧が、０Ｖ付近から３．３Ｖ付近の電圧に変化したことを検出することによって、アース接続部５１において、スキャナ台３０と印刷装置本体１０とが電気的に接続されていない状態となったことを検出する。
【００５１】
そして、制御部５０は、アース検出回路５２の検出結果に応じて、表示部１４に警告メッセージなどを表示させ、ユーザに対してアース接続部５１における電気的な接続が、非接続となったことを報知する。ユーザは、表示部１４に表示された警告メッセージを確認した際には、スキャナ台３０または印刷装置本体１０を移動させて、アース接続部５１が再び印刷装置本体１０に接触するように調整する。上述したように警告メッセージを表示させることによって、ユーザは、印刷装置本体１０とスキャナ台３０とのアース接続を即座に回復させることができ、電磁波ノイズの周辺への影響を即座に取り除くことができる。
【００５２】
そして、制御部５０は、再びアース接続部５１において印刷装置本体１０とスキャナ台３０とが電気的に接続された場合には、上述した警告メッセージを非表示とするか、アース接続が回復したことを示すメッセージなどを表示する。
【００５３】
なお、上記実施形態においては、アース検出回路５２によって電気的な接続が検出されていない場合、制御部５０が、表示部１４に警告メッセージを表示させるようにしたが、これに限らず、制御部５０が、印刷装置本体１０の全部または一部の動作を停止させるようにしてもよい。これにより、印刷装置本体１０から発生するノイズを強制的に抑制することができる。
【００５４】
印刷装置本体１０の一部の動作を停止させる場合、たとえば制御部５０の構成のうち、主なノイズ発生源となる画像処理部５０ｂの動作を停止させることが望ましい。また、制御部５０の構成のうち、搬送機構制御部５０ａについては、画像処理部５０ｂと比較すると電磁波ノイズを発生しないので、動作を継続させることが望ましい。搬送機構制御部５０ａの動作を継続させることによって、印刷装置本体１０とスキャナ台３０との電気的な接続が回復した際、印刷動作の復帰を迅速に行うことができる。また、印刷媒体の搬送中である場合には、搬送機構制御部５０ａの動作を継続させることによって、印刷媒体のジャムを回避することができる。
【００５５】
また、制御部５０は、印刷装置本体１０の一部の動作を停止させる場合、警告メッセージを表示する表示部１４については、動作を継続させることが望ましい。これにより、ユーザは、スキャナ台３０と印刷装置本体１０との電気的な非接続によって、印刷装置本体１０の動作が停止したことを確認することができる。
【００５６】
また、上記実施形態の印刷システム１においては、図７に示すように、スキャナ台３０の凸部３２ａと印刷装置本体１０との接続部分に、非導電性の弾性板部材３５を設けることによってスキャナ台３０の回転移動を吸収し、スキャナ台３０と圧着端子３６（すなわちアース検出回路５２）との接触を維持しつつ、凸部３２ａと印刷装置本体１０の背面板部材１０ｃとの電気的な非接続（絶縁）を維持するようにしたが、本発明の弾性接続部の構成はこの構成に限られない。以下、本発明の弾性接続部のその他の実施形態について説明する。
【００５７】
図９は、スキャナ台３０とアース検出回路５２との接続を維持しつつ、凸部３２ａと印刷装置本体１０の背面板部材１０ｃとの電気的な非導通（絶縁）を維持するための構成の一例を示す図である。図９に示す例では、印刷装置本体１０の背面板部材１０ｃに対して非導電性部材６０が設けられている。非導電性部材６０は、非導電性を有する樹脂などの材料から形成されている。そして、非導電性部材６０に対して、ネジ部材６２によって金属などの導電性部材からなる板バネ部材６１が接続され、板バネ部材６１の一端にスキャナ台３０の凸部３２ａが接触するとともに、板バネ部材６１の他端には、アース検出回路５２に接続される配線６３が接続されている。図９に示す構成によれば、板バネ部材６１によってスキャナ台３０の回転移動を吸収し、スキャナ台３０と板バネ部材６１（すなわちアース検出回路５２）との接続を維持しつつ、非導電性部材６０によって凸部３２ａと印刷装置本体１０の背面板部材１０ｃとの電気的な非導通（絶縁）を維持することができる。
【００５８】
図１０は、スキャナ台３０とアース検出回路５２との接続を維持しつつ、凸部３２ａと印刷装置本体１０の背面板部材１０ｃとの電気的な非導通（絶縁）を維持するための構成のもう一つの例を示す図である。図１０に示す例では、印刷装置本体１０の背面板部材１０ｃに対して非導電性部材６４が設けられている。非導電性部材６４は、非導電性を有する樹脂などの材料から形成されている。そして、非導電性部材６４に対して、フィクスチャ６５を設け、フィクスチャ６５の先端にスキャナ台３０の凸部３２ａが接触するとともに、フィクスチャ６５の後端には、アース検出回路５２に接続される配線６６が接続されている。フィクスチャ６５は、一般的には基板の検査などに用いられるものであるが、本例では、凸部３２ａとの接触部材として用いる。図１１は、フィクスチャ６５の内部構成を示す図である。フィクスチャ６５は、図１１に示すように、金属などの導電性の材料から形成され、先端が尖った針状の形状をした針状部材６５ａと、針状部材６５ａの後端に設けられ、針状部材６５ａを付勢するバネ部材６５ｂと、針状部材６５ａおよびバネ部材６５ｂとが収容されるケース６５ｃとから構成されている。ケース６５ｃからは、針状部材６５ａの後端に接続された配線６６が引き出されている。図１１に示す構成によれば、フィクスチャ６５によってスキャナ台３０の回転移動を吸収し、スキャナ台３０とフィクスチャ６５（すなわちアース検出回路５２）との接続を維持しつつ、非導電性部材６４によって凸部３２ａと印刷装置本体１０の背面板部材１０ｃとの電気的な非導通（絶縁）を維持することができる。
【００５９】
また、上記実施形態の印刷システム１においては、スキャナ台３０の脚部材３３ａの前側先端にアース接続部５１を設けるようにしたが、これに限らず、たとえば脚部材３３ａの上面に設け、印刷装置本体１０の底面とアース接続部５１とが接触するようにしてもよい。このように脚部材３３ａの上面にアース接続部５１を設ける場合、脚部材３３ａの上面に所定の間隔を空けて複数のアース接続部５１を設けることが好ましい。このように複数のアース接続部５１を設けることによって、印刷装置本体１０に対してスキャナ台３０が多少移動したとしても、アース接続部５１と印刷装置本体１０との接続を維持することができる。
【００６０】
なお、上記実施形態は、印刷装置本体１０、スキャナ２０およびスキャナ台３０からなる印刷システムに本発明を適用した例であるが、本発明は印刷システムに限らず、その他の装置にも適用可能である。具体的には、電子ノイズを発生し得る計測装置と、その計測装置の上方または下方に設置され、計測装置の結果を出力するプリンタやモニタなどの出力装置と、出力装置が設置され、出力装置を計測装置の上方または下方において支持する支持台とから構成される計測システムにも本発明を適用することが可能である。また、上述した計測装置として医療計測装置を用いた医療計測システムにも本発明を適用可能である。
【００６１】
本発明の電子機器装置に関し、さらに以下の付記を開示する。
（付記）
【００６２】
本発明の電子機器装置において、アース接続部は、ガスケットを含むことができる。
【００６３】
また、本発明の電子機器装置において、アース検出部は、前記電子機器本体内に設けられたアース検出回路を有することができ、周辺機器支持台と電子機器本体の筐体との接続部分に、弾性を有し、かつ周辺機器支持台と電子機器本体の筐体とを電気的に非導通とするとともに、周辺機器支持台とアース検出回路とを電気的に接続する弾性接続部を設けることができる。
【００６４】
また、本発明の電子機器装置においては、アース接続部における電気的な接続がアース検出部によって検出されていないこと報知する報知部を備えることができる。
【００６５】
また、本発明の電子機器装置においては、アース接続部における電気的な接続がアース検出部によって検出されていない場合、電子機器本体の全部または一部の動作を停止させる制御部を備えることができる。
【符号の説明】
【００６６】
１          印刷システム
１０      印刷装置本体
１０      給紙部
１０ａ  筐体
１０ｂ  キャスタ
１０ｃ  背面板部材
１０ｄ  凹部
１０ｆ  前面板部材
１１      給紙部
１１ａ〜１１ｃ 給紙トレイ
１２      印刷処理部
１３      排紙部
１３ａ  排紙トレイ
１３ｂ  サイドフェンス
１４      表示部
２０      スキャナ
２０ａ  オートフィーダ原稿台
３０      スキャナ台
３０ａ  設置面
３１      設置台
３２      背面フレーム
３２ａ  凸部
３３      キャスタフレーム
３３ａ  脚部材
３４      キャスタ
３５      弾性板部材
３６      圧着端子
３７      ネジ部材
３８      配線
４０      ヘッドユニット
４１      搬送機構
５０      制御部
５０ａ  搬送機構制御部
５０ｂ  画像処理部
５１      アース接続部
５２      アース検出回路
５２ａ  マイコン
５２ｂ  プルアップ抵抗素子
６０      非導電性部材
６１      板バネ部材
６２      ネジ部材
６３      配線
６４      非導電性部材
６５      フィクスチャ
６５ａ  針状部材
６５ｂ  バネ部材
６５ｃ  ケース
６６      配線
ｄ          隙間
【図１】
2020026956.tif 000003
【図２】
2020026956.tif 000004
【図３】
2020026956.tif 000005
【図４】
2020026956.tif 000006
【図５】
2020026956.tif 000007
【図６】
2020026956.tif 000008
【図７】
2020026956.tif 000009
【図８】
2020026956.tif 000010
【図９】
2020026956.tif 000011
【図１０】
2020026956.tif 000012
【図１１】
2020026956.tif 000013